(57)【要約】      （修正有）【課題】簡単な構造を有し、製造工程を単純化できる光コネクタ用シャッタ部材内蔵アダプタを提供する。【解決手段】アダプタは、本体とシャッタと弾性部材とを含む。本体１１０は、収容空間１１１を有する。シャッタ１２０は、収容空間を遮蔽または露出するように、本体に移動可能に取り付けられる。光コネクタは、シャッタを押し退けて収容空間に入り、本体に接続される。シャッタは、シャッタと光コネクタとの間に隙間が保たれるように段差構造を有する。弾性部材１３０は、本体内に配置され、シャッタの移動経路上に配置される。光コネクタがシャッタを押し退けるとシャッタが弾性部材を変形させ、光コネクタが収容空間を離れると弾性部材がシャッタを押し出して元の状態に戻す。【選択図】図３
0003222858.tif 000002
【実用新案登録請求の範囲】
【請求項１】
収容空間を有する本体と、
収容空間を遮蔽または露出するように、本体に移動可能に取り付けられるシャッタであって、光コネクタは、前記本体に接続されるために、前記収容空間に入るように前記シャッタを押し退けるのに適し、前記シャッタと前記光コネクタとの間に隙間が保たれるように段差構造を有する前記シャッタと、
前記本体内に配置され、前記シャッタの移動経路上に配置される弾性部材であって、前記光コネクタが前記シャッタを押し退けると前記シャッタが前記弾性部材を変形させ、前記光コネクタが前記収容空間を離れると前記シャッタを押し出して元の状態に戻す弾性部材と、
を有する光コネクタ用アダプタ。
【請求項２】
前記本体の底部が貫通部を有し、前記シャッタ及び前記弾性部材の一部が前記貫通部を通して前記本体の外側に露出している請求項１記載のアダプタ。
【請求項３】
前記貫通部の周縁に沿って前記本体に取り付けられたベース部をさらに含み、前記弾性部材は前記ベース部に接続されている請求項２に記載のアダプタ。
【請求項４】
前記弾性部材は前記ベース部に固定されている請求項３記載のアダプタ。
【請求項５】
前記弾性部材はインサート成形により前記ベース部に埋め込まれている請求項３記載のアダプタ。
【請求項６】
前記本体および前記ベース部のそれぞれが収容凹部を有し、前記シャッタの軸部が前記収容凹部に回動自在に取り付けられている請求項３〜５いずれか一項記載のアダプタ。
【請求項７】
前記シャッタは、軸部と、第１のプレートと、第２のプレートとを有し、前記第１のプレートは、前記軸部から延び、前記軸部と前記第２のプレートとの間に配置され、前記第１のプレートと前記第２のプレートは互いに平行であり、段差構造を特徴とする請求項１〜６いずれか一項記載のアダプタ。
【請求項８】
前記シャッタは、前記第１のプレートと前記第２のプレートとの間に接続された角部をさらに含み、前記弾性部材の端部は前記角部に押し付けられる請求項７記載のアダプタ。
【請求項９】
前記光コネクタは、カップリングスリーブと、前記カップリングスリーブから延びるフェルールとを有し、前記光コネクタが前記収容空間内に移動する過程において、前記カップリングスリーブが前記第１のプレートに押し付けられて前記シャッタを押し退けるときに、前記フェルールと前記第２のプレートとの間に隙間が設けられる請求項７又は８記載のアダプタ。
【請求項１０】
前記本体がさらに停止部を含み、前記弾性部材が前記シャッタを押し出して元の状態に戻すと、前記第２のプレートが前記停止部に押し付けられて前記収容空間を遮蔽する請求項７〜９いずれか一項記載のアダプタ。
【考案の詳細な説明】
【技術分野】
【０００１】
本発明は、コネクタ用アダプタに関する。より詳細には、本発明は、光コネクタ用のシャッタ部材を内蔵したアダプタに関する。
【背景技術】
【０００２】
近年、光ファイバは、広帯域で比較的損失が少ないという利点から、信号の伝送媒体として広く用いられている。そのため、光通信ネットワーク技術の発展に伴い、インターネットやイントラネットなどの広域ネットワークの需要が伸び、通信トラフィックも増加している。
【０００３】
光コネクタが互いに結合されているとき、光アダプタは接続媒体として機能する。光アダプタは遮蔽環境を作り出し、光コネクタが互いに接続されたときに、光コネクタは外部干渉から防止される。同時に、オペレータは、目に損傷を与える可能性がある、光コネクタによる放射光を直接見ることも防止され得る。
【０００４】
例えば、米国特許第９４５３９６３号明細書に開示されているシャッタ付き光アダプタでは、シャッタ板１１をコネクタハウジング１に取り付けた後、底壁１ｃをコネクタハウジング１に取り付けて閉鎖構造を形成している。同時に、シャッタ板１１には窪み状の逃げ部３０が設けられているので、円筒状のカップリングスリーブ２１がシャッタ板１１を押し、フェルール２４がシャッタ板１１に接触するのを防止する。
【０００５】
このようにして、目的は達成されるが、構成要素の製造条件により製造プロセスの複雑さが増大する。例えば、シャッタ板には窪み状の隙間が設けられ、またシャッタ板の大きさを小さくすることで、シャッタ板の表面の輪郭、すなわち板の平面と窪み状の隙間との関係を精密に制御する必要が生じる。言い換えれば、成形型の設計及び製造の難しさが増加し、成形工程に影響を及ぼし易くなり得、そのうえ、射出成形の歩留まりを効果的に制御及び維持することができない。
【０００６】
また、この発明のシャッタ板１１は、板バネ１８を介して底壁１ｃの開口部１１ｄに取り付けられている。それにもかかわらず、上述のように、より小さい部品サイズにより、組み立て工程は実施が困難となり得る。
【先行技術文献】
【特許文献】
【０００７】
【特許文献１】米国特許第９４５３９６３号明細書
【考案の概要】
【考案が解決しようとする課題】
【０００８】
上記の観点から、光アダプタの関連する構成要素間の製造および組み立て工程をいかに単純化し、それと同時に達成されるべき効果を維持するかは、当業者にとってこの分野における重要な問題である。
【課題を解決するための手段】
【０００９】
本発明は、簡単な構造と製造工程を通じて必要な機能を提供することができるシャッタ部材を内蔵したアダプタを提供する。
【００１０】
本発明の一実施形態の光コネクタ用シャッタ部材内蔵アダプタは、本体と、シャッタと、弾性部材と、を備える。本体は、収容空間を有する。シャッタは、収容空間を遮蔽または露出するように、本体に移動可能に取り付けられる。光コネクタは、本体に接続されるために、収容空間に入るようにシャッタを押し退けるのに適している。シャッタは、シャッタと光コネクタとの間に隙間が保たれるように段差構造を有する。弾性部材は、本体内に配置され、シャッタの移動経路上に配置されている。光コネクタがシャッタを押し退けるとシャッタが弾性部材を変形させ、光コネクタが収容空間を離れると弾性部材がシャッタを押し出して元の状態に戻す。
【００１１】
本発明の一実施形態では、本体の底部が貫通部を有し、シャッタおよび弾性部材の一部が貫通部を通して本体の外側に露出している。
【００１２】
本発明の一実施形態では、シャッタ部材内蔵アダプタは、貫通部の周縁に沿って本体に取り付けられたベース部をさらに含み、弾性部材はベース部に接続されている。
【００１３】
本発明の一実施形態では、弾性部材はベース部に固定されている。
【００１４】
本発明の一実施形態では、弾性部材はインサート成形によりベース部に埋め込まれている。
【００１５】
本発明の一実施形態では、本体およびベース部のそれぞれが収容凹部を有し、シャッタの軸部が収容凹部に回動自在に取り付けられている。
【００１６】
本発明の一実施形態では、シャッタは、軸部と、第１のプレートと、第２のプレートとを有し、第１のプレートは、軸部から延び、軸部と第２のプレートとの間に配置される。第１のプレートと第２のプレートは互いに平行であり、段差構造を特徴とする。
【００１７】
本発明の一実施形態では、シャッタは、第１のプレートと第２のプレートとの間に接続された角部をさらに含み、弾性部材の端部は角部に押し付けられる。
【００１８】
本発明の一実施形態では、光コネクタは、カップリングスリーブと、カップリングスリーブから延びるフェルールとを有する。光コネクタが収容空間内に移動する過程において、カップリングスリーブが第１のプレートに押し付けられてシャッタを押し退けるときに、フェルールと第２のプレートとの間に隙間が設けられる。
【００１９】
本発明の一実施形態では、本体がさらに停止部を含む。弾性部材がシャッタを押し出して元の状態に戻すと、第２のプレートが停止部に押し付けられて収容空間を遮蔽する。
【００２０】
まとめると、シャッタ部材内蔵アダプタのシャッタは、本体内に移動可能に配置されているだけでなく、段差構造も有している。また、弾性部材は本体内に配置され、シャッタの移動経路上に配置されている。したがって、光コネクタがシャッタを押し退けて収容空間に入ると、段差構造により光コネクタとシャッタとの間に隙間が保たれる。つまり、シャッタ部材内蔵アダプタのシャッタの簡易な段差構造により、移動時に光コネクタとシャッタとが接触する（押し付けられる）ことが防止される。段差構造によって、シャッタの製造および組み立ての複雑さも効果的に低減することができ、これは、内蔵シャッタ部材を有するアダプタの製造工程にとって有益である。
【００２１】
上記をより分かりやすくするために、図面を伴ういくつかの実施形態を以下に詳細に説明する。
【００２２】
添付の図面は、本開示のさらなる理解を提供するために含まれており、本明細書に組み込まれてその一部を構成している。図面は、本開示の例示的な実施形態を示しており、その説明と共に、本開示の原理を説明するのに役立つ。
【図面の簡単な説明】
【００２３】
【図１】本発明の一実施形態に係るシャッタ部材内蔵アダプタの概略図である。
【図２】図１のシャッタ部材内蔵アダプタを別の角度から見た概略図である。
【図３】シャッタ部材内蔵アダプタを異なる角度から見た分解図である。
【図４】シャッタ部材内蔵アダプタを異なる角度から見た分解図である。
【図５】シャッタ部材内蔵アダプタの異なる状態を示す概略断面図である。
【図６】シャッタ部材内蔵アダプタの異なる状態を示す概略断面図である。
【図７】本発明の一実施形態に係るシャッタ部材内蔵アダプタの異なる視野角から見た概略図である。
【図８】本発明の一実施形態に係るシャッタ部材内蔵アダプタの異なる視野角から見た概略図である。
【図９】図７のシャッタ部材内蔵アダプタの構成要素の一部の分解図である。
【考案を実施するための形態】
【００２４】
図１は、本発明の一実施形態に係るシャッタ部材内蔵アダプタの概略図である。図２は、図１のシャッタ部材内蔵アダプタを別の角度から見た概略図である。図３および４は、シャッタ部材内蔵アダプタを異なる角度から見た分解図である。図１から図４を併せて参照すると、本実施形態では、光コネクタ用シャッタ部材内蔵アダプタ１００は、本体１１０と、シャッタ１２０と、弾性部材１３０とを含む。本体１１０は収容空間１１１を有する。シャッタ１２０は、収容空間１１１を遮蔽または露出するように本体１１０に移動可能に取り付けられる。弾性部材１３０は、本体１１０内に配置され、シャッタ１２０の移動経路上に位置する。
【００２５】
図５および６は、シャッタ部材内蔵アダプタの異なる状態を示す概略断面図である。図３−図６を併せて参照すると、光コネクタ３００は、本体１１０に接続されるために、収容空間１１１に入るようにシャッタ１２０を押し退けるのに適している。シャッタ１２０は、シャッタ１２０と光コネクタ３００との間に隙間が保たれるように段差構造を有している。シャッタ１２０は、光コネクタ３００がシャッタ１２０を押し退けると弾性部材１３０を変形させ、弾性部材１３０は、光コネクタ３００が収容空間１１１を離れるとシャッタ１２０を押し出して元の状態に戻す。
【００２６】
さらに、シャッタ部材内蔵アダプタ１００の本体１１０は、光コネクタを互いに結合することを可能にする媒体として機能する。そのため、適応部材１１５も収容空間１１１内に配置されている。適応部材１１５は、接続部材１１５ａおよび１１５ｂと、接続管１１５ｃとを含み、接続部材１１５ａは本体１１０の開口部Ｅ１に面し、接続部材１１５ｂは本体１１０の開口部Ｅ２に面し、接続部材１１５ｂは本体１１０の開口部Ｅ２に面し、そして接続部材１１５ａと接続部材１１５ｂとが収容空間１１１内で組み合わされると、接続管１１５ｃは、接続部材１１５ａと接続部材１１５ｂとの間に含まれる。２つの光コネクタが互いに結合されると、一方の光コネクタは開口部Ｅ１を通って収容空間１１１内に移動し、接続部材１１５ａ内の接続管１１５ｃの一部に挿入され、他方の光コネクタは開口部Ｅ２を通って収容空間１１１内に移動し、接続部材１１５ｂの連結管１１５ｃの他の部分に挿入される。これにより、２つの光コネクタが接続管１１５ｃ内で互いに結合される。
【００２７】
また、図２および図４に示すように、本体１１０の底部は貫通部１１２を有し、シャッタ１２０の一部と弾性部材１３０は貫通部１１２を介して本体１１０の外部に露出している。さらに、シャッタ部材内蔵アダプタ１００は、貫通部１１２の周縁に沿って本体部１１０に取り付けられるベース部１４０をさらに備える。すなわち、貫通部１１２は、ベース部１４０によって完全には囲まれていないので、シャッタ１２０および弾性部材１３０は依然として貫通部１１２を介して露出することができる。さらに、本体１１０は収容凹部１１３を有し、ベース部１４０は収容凹部１４２を有する。このように、ベース部１４０が本体１１０に取り付けられると、シャッタ１２０の軸部１２１は、収容凹部１１３と収容凹部１４２とに回動自在に取り付けられ得る。したがって、シャッタ１２０は、シャッタ１２０の軸部１２１を中心に回動可能となる。さらに、図５および図６に示すように、光コネクタ３００が収容空間１１１内に移動すると、光コネクタ３００はシャッタ１２０を押し退けることができ、すなわち、光コネクタ３００はシャッタ１２０を回動させ得る。
【００２８】
図３ないし図６に示すように、本実施形態では、シャッタ１２０は、第１のプレート１２２、角部１２４、第２のプレート１２３、および軸部１２１を有し、第１のプレート１２２はシャフト部１２１から延び、シャフト部１２１と第２のプレート１２３の間に位置する。角部１２４は、第１のプレート１２２と第２のプレート１２３との間に接続されている。また、第１のプレート１２２は、第２のプレート１２３と略平行であるため、角部１２４は、第１のプレート１２２および第２のプレート１２３に、段差構造を形成させる。すなわち、互いに平行な第１のプレート１２２および第２のプレート１２３のうちの一方を基準とした場合、当該基準と他方のプレートとの間に高低差が設けられていると見なすことができる。また、弾性部材１３０は、例えば、インサート成形によりベース部１４０に埋め込まれた弾性部材である。さらに、弾性部材１３０のベース部１４０に埋め込まれた端部から離れた一方の端部は、シャッタ１２０の角部１２４に対して実質的に押し付けられている。従って、光コネクタ３００が収容空間１１１内に進入する前は、図５に示すように、弾性部材１３０の影響を受けて、シャッタ１２０が本体１１０の停止部１１４に当接して収容空間１１１を閉鎖する。光コネクタ３００が収容空間１１１内に移動した後は、図６に示すように、シャッタ１２０は、収容空間１１１を露出するように光コネクタ３００によって押し退けられ、それに応じてシャッタ１２０が回動して弾性部材１３０を変形させる。
【００２９】
また、光コネクタ３００は、カップリングスリーブ３１０と、カップリングスリーブ３１０から延びるフェルール３２０とを有する。また、本体１１０に対する光コネクタ３００の差込方向において、連結スリーブ３１０は第１のプレート１２２に対応し、フェルール３２０は第２のプレート１２３に対応する。また、シャッタ１２０の第１のプレート１２２、角部１２４および第２のプレート１２３は段差構造を形成している。従って、光コネクタ３００が収容空間１１１内に移動する過程において、カップリングスリーブ３１０が第１のプレート１２２に押し付けられてシャッタ１２０を押し退けるとき、フェルール３２０と第２のプレート１２３との間に隙間が設けられる。フェルール３２０が接続管１１５ｃに挿入されるまでは、フェルール３２０は第２のプレート１２３と接触することができない。これにより、フェルール３２０とシャッタ１２０とが接触してフェルール３２０を汚染することを防止している。
【００３０】
反対に、光コネクタ３００が収容空間１１１を離れると、シャッタ１２０によって押し付けられることにより変形した弾性部材１３０が、シャッタ１２０を押し出してその弾性力によって元の状態に戻し得る。つまり、シャッタ１２０は、シャッタ１２０が停止部１１４に当接する位置に復帰する。
【００３１】
なお、シャッタ１２０は、段差構造を有する第１のプレート１２２と第２のプレート１２３とによって形成されているので、本発明によって提供されるシャッタ１２０は、シャッタ上に凹形状の隙間が配置されるため、従来技術によって提供されるシャッタと比較して、比較的単純な構造的外形を有する。従って、シャッタ１２０の製造工程、すなわちシャッタ１２０の成形に使用される金型及び射出成形工程において、従来技術に比べて技術的な複雑さが改善され、利便性が向上する。これにより、シャッタ１２０の製造歩留まりも効果的に向上する。また、本発明では、本体１１０が貫通部１１２を有し、ベース部１４０を貫通部１１２の周縁に取り付ける前に、弾性部材１３０がベース部１４０に取り付けられている（インサート成形により埋め込まれている）。それにもかかわらず、板ばねがシャッタと底壁との間に取り付けられる組立工程を採用する従来技術では、組立工程は、過度に小さい構成要素のサイズにより容易に制限され得るので、組立ての困難性は比較的高い。これに対し、本発明では、上記構成的特徴により、シャッタ部材内蔵アダプタ１００の組立工程を効果的に簡略化することができ、従って、組立の煩雑さや困難性が低減され、シャッタ部材内蔵アダプタ１００の製造効率および歩留まりがさらに向上する。
【００３２】
図７および図８は、本発明の一実施形態に係る、異なる視野角から見たシャッタ部材内蔵アダプタの概略図である。図９は、図７のシャッタ部材内蔵アダプタの構成要素の一部の分解図である。図７ないし図９を併せて参照すると、本実施形態では、シャッタ部材内蔵アダプタ２００は、本体２１０と複数のシャッタ２２０Ａ〜２２０Ｄとを含み、本体２１０は収容空間２１１と複数の開口部Ｅ３およびＥ４とを有する。従って、本実施形態のシャッタ部材内蔵アダプタ２００は、４対の光コネクタを同時に接続するのに適しており、その接続構造は、前述の実施形態で説明したものと同様であるので、それらに関する説明は適宜省略する。
【００３３】
図８および図９を参照すると、本実施形態のシャッタ部材内蔵アダプタ２００は、異なる種類のベース部２４０Ａおよび２４０Ｂと、異なる種類の弾性部材２３０Ａおよび２３０Ｂとを含むことは言及に値する。ベース部２４０Ａおよび２４０Ｂは、本体２１０の適応部材２１５Ａおよび２１５Ｂにそれぞれ取り付けられ、弾性部材２３０Ａは、例えば、インサート成形によってベース部２４０Ａに埋め込まれ、弾性部材２３０Ｂは、例えば、ベース部２４０Ｂのリブ構造に固定されている。弾性部材２３０Ａおよび２３０Ｂと、ベース部２４０Ａおよび２４０Ｂとの組み合わせは異なるが、弾性部材２３０Ａおよび２３０Ｂと、シャッタ２２０Ａ〜２２０Ｄとの相対関係は、前述の実施形態と同様であり、変更されない。従って、弾性部材とベース部とを組み合わせる手段は、本発明の実施形態によって限定されるものではない。
【００３４】
以上のことから、本発明の実施形態では、シャッタ部材内蔵アダプタのシャッタは、本体内に移動可能に配置されているだけでなく、段差構造を有している。また、弾性部材は本体内に配置され、シャッタの移動経路上に配置されている。従って、光コネクタがシャッタを押し退けて収容空間に入ると、段差構造によって光コネクタとシャッタとの間に隙間が保たれる。つまり、シャッタ部材内蔵アダプタのシャッタの簡易な段差構造により、移動時に光コネクタとシャッタとが互いに接触する（押し付けられる）ことが防止される。段差構造によって、シャッタの製造および組み立ての複雑さも効果的に低減することができ、これは、シャッタ部材内蔵アダプタの製造工程にとって有益である。
【００３５】
さらに、シャッタは、段差構造を有する第１のプレートと第２のプレートとによって形成されているので、本発明によって提供されるシャッタは、シャッタ上に凹形状の隙間が配置されるため、従来技術によって提供されるシャッタと比較して、比較的単純な構造輪郭を有する従って、シャッタの製造工程、すなわちシャッタの成形に使用される金型および射出成形の工程において、従来技術に比べて技術的な複雑が改善され、利便性が向上する。これにより、シャッタの製造歩留まりも効果的に向上する。
【００３６】
また、本発明では、本体が貫通部を有し、ベース部を貫通部の周縁に取り付ける前に、弾性部材がベース部に取り付けられている（インサート成形により埋め込まれている）。それにもかかわらず、板ばねがシャッタと底壁との間に取り付けられる組立工程を採用する従来技術では、組立工程は、過度に小さい構成要素のサイズにより容易に制限され得るので、組立ての困難性は比較的高い。これに対し、本発明では、上記構成的特徴により、シャッタ部材内蔵アダプタの組立工程を効果的に簡略化することができ、従って、組立の煩雑さや困難性が低減され、シャッタ部材内蔵アダプタの製造効率および歩留まりがさらに向上する。
【００３７】
本開示の範囲または趣旨から逸脱することなく、開示された実施形態に対して様々な変更および変形をなし得ることが当業者にとって明らかである。上記を考慮して、本開示は、以下の特許請求の範囲およびそれらの均等物の範囲内に含まれるという条件で、変更および変形を網羅することが意図されている。
【符号の説明】
【００３８】
１００、２００…光コネクタ用シャッタ部材内蔵アダプタ
１１０、２１０…本体
Ｅ１、Ｅ２、Ｅ３、Ｅ４…開口部
１１１、２１１…収容空間
１１２…貫通部
１１３…収容凹部
１１４…停止部
１１５、２１５Ａ、２１５Ｂ…適応部材
１１５ａ、１１５ｂ…接続部材
１１５ｃ…接続管
１２０、２２０Ａ〜２２０Ｄ…シャッタ
１２１…軸部
１２２…第１のプレート
１２３…第２のプレート
１２４…角部
１３０、２３０Ａ、２３０Ｂ…弾性部材
１４０、２４０Ａ、２４０Ｂ…ベース部
１４２…収容凹部
３００…光コネクタ
３１０…カップリングスリーブ
３２０…フェルール
【図１】
0003222858.tif 000003
【図２】
0003222858.tif 000004
【図３】
0003222858.tif 000005
【図４】
0003222858.tif 000006
【図５】
0003222858.tif 000007
【図６】
0003222858.tif 000008
【図７】
0003222858.tif 000009
【図８】
0003222858.tif 000010
【図９】
0003222858.tif 000011